(57)【要約】【課題】側壁収容ポケットを有する床と、床にそれぞれ枢支される一対の端壁と、相互に重合した状態で側壁収容ポケットに収容可能な一対の側壁とを備える折畳み式収容箱において、収容部品の一部が突出することを防止するとともに重量増大を避けつつ充分な強度を有するように側壁を構成し、しかも相互に重合した一対の側壁の厚みが増大することも防止する。【解決手段】側壁１６は、直角四辺形に形成される壁板３５と、壁板３５の外周部外面側に直角に固着される枠板３６と、格子状に組み合わされて壁板３５および枠板３６に固着される複数の金属棒材３７とを備え、枠板３６には、両側壁１６をそれらの外面側が対向するように抱き合わせて重合する際に、枠板３６の一部が内外で隣接して重合することを可能とするための切欠き３８が設けられる。【選択図】　　　　図９
2004115026.tif 000002
【特許請求の範囲】
【請求項１】
フォークポケット（２５）をそれぞれ形成する一対の平行な枠体（１７）が相互に連結されるとともに側壁収容ポケット（２６）が両枠体（１７）間に形成されて成る床（１４）と、該床（１４）上に重なる折畳み位置ならびに前記床（１４）から起立する起立位置間での回動を可能として前記床（１４）にそれぞれ枢支される一対の端壁（１５）と、相互に重合した状態で前記側壁収容ポケット（２６）に収容可能な一対の側壁（１６）とを備え、組立時には、相互に対向する一対の前記端壁（１５）と、それらの端壁（１５）に直交して相互に対向する一対の端壁（１６）とが前記床（１４）に立設されて直方体状となる折畳み式収容箱において、前記両側壁（１６）は、金属板により直角四辺形に形成される壁板（３５）と、金属板で直角四辺形の筒状に形成されて前記壁板（３５）の外周部外面側に直角に固着される枠板（３６）と、相互に固着されて格子状に組み合わされるとともに前記壁板（３５）の外面側で該壁板（３５）および前記枠板（３６）に固着される複数の金属棒材（３７）とをそれぞれ備え、前記枠板（３６）には、両側壁（１６）をそれらの外面側が対向するように抱き合わせて重合する際に、前記枠板（３６）の一部が内外で隣接して重合することを可能とするための切欠き（３８）が設けられることを特徴とする折畳み式収容箱。
【請求項２】
前記床（１４）は、起立状態にある前記端壁（１５）の下部に外方から対向する突壁（２０ａ）を有して前記両枠体（１７）の両端上面間を連結する端部上面連結部材（２０）と、前記突壁（２０ａ）よりも内方側で前記両枠体（１７）の両端下面間を連結する端部下面連結部材（１８）とを備え、前記突壁（２０ａ）の両側には、前記端壁（１５）を折畳んで複数の床（１４）を積み重ねたときに上方の床（１４）の枠体（１７）の端部を配置するための切欠き（２０ｂ）が形成され、前記端部下面連結部材（１８）には、前記端壁（１５）を折畳んで複数の床（１４）を積み重ねたときに下方の床（１４）の前記突壁（２０ａ）に内方側から対向する規制壁（１８ａ）が突設されることを特徴とする請求項１記載の折畳み式収容箱。
【発明の詳細な説明】
【０００１】
【発明の属する技術分野】
本発明は、フォークポケットをそれぞれ形成する一対の平行な枠体が相互に連結されるとともに側壁収容ポケットが両枠体間に形成されて成る床と、該床上に重なる折畳み位置ならびに前記床から起立する起立位置間での回動を可能として前記床にそれぞれ枢支される一対の端壁と、相互に重合した状態で前記側壁収容ポケットに収容可能な一対の側壁とを備え、組立時には、相互に対向する一対の前記端壁と、それらの端壁に直交して相互に対向する一対の端壁とが前記床に立設されて直方体状となる折畳み式収容箱に関する。
【０００２】
【従来の技術】
従来、このような折畳み式収容箱は、たとえば特許文献１および特許文献２で示すように知られており、複数の棒材を相互に組み合わせた格子部が側壁の上部を構成する枠に連結されることで、側壁が構成されている。
【０００３】
【特許文献１】
登録実用新案第２５６２０３５号公報
【０００４】
【特許文献２】
登録実用新案第２５８０４２３号公報
【０００５】
【発明が解決しようとする課題】
ところが、上記従来のものの側壁の構成では、収容した部品の一部が格子部の間隙から外部に突出する可能性があり、また強度をより強くすることも望まれる。このような観点から側壁を構成することは容易であるが、その際、側壁の重量増大を極力抑えることが必要である。しかも両側壁は相互に重合して床の側壁収容ポケットに収容されるものであり、重合した状態での両側壁の厚み増大も抑える必要がある。
【０００６】
本発明は、かかる事情に鑑みてなされたものであり、収容部品の一部が突出することを防止するとともに重量増大を避けつつ充分な強度を有するように側壁を構成し、しかも相互に重合した一対の側壁の厚みが増大することも防止し得るようにした折畳み式収容箱を提供することを目的とする。
【０００７】
【課題を解決するための手段】
上記目的を達成するために、請求項１記載の発明は、フォークポケットをそれぞれ形成する一対の平行な枠体が相互に連結されるとともに側壁収容ポケットが両枠体間に形成されて成る床と、該床上に重なる折畳み位置ならびに前記床から起立する起立位置間での回動を可能として前記床にそれぞれ枢支される一対の端壁と、相互に重合した状態で前記側壁収容ポケットに収容可能な一対の側壁とを備え、組立時には、相互に対向する一対の前記端壁と、それらの端壁に直交して相互に対向する一対の端壁とが前記床に立設されて直方体状となる折畳み式収容箱において、前記両側壁は、金属板により直角四辺形に形成される壁板と、金属板で直角四辺形の筒状に形成されて前記壁板の外周部外面側に直角に固着される枠板と、相互に固着されて格子状に組み合わされるとともに前記壁板の外面側で該壁板および前記枠板に固着される複数の金属棒材とをそれぞれ備え、前記枠板には、両側壁をそれらの外面側が対向するように抱き合わせて重合する際に、前記枠板の一部が内外で隣接して重合することを可能とするための切欠きが設けられることを特徴とする。
【０００８】
このような請求項１記載の発明の構成によれば、側壁の大部分を壁板で構成することにより、収容部品の一部が側壁から突出してしまうことを確実に防止することができ、また壁板の厚みを協力薄く設定しても枠板および複数の棒材で補強することができるので、重量増大を避けつつ充分な強度を側壁に持たせることができる。しかも枠板に切欠きが設けられることにより、両側壁をそれらの外面側が対向するように抱き合わせて重合したときに、枠板の一部が内外で隣接して重合するようになるので、重合した状態の両側壁の厚みが増大することを防止することができる。
【０００９】
また請求項２記載の発明は、上記請求項１記載の発明の構成に加えて、前記床は、起立状態にある前記端壁の下部に外方から対向する突壁を有して前記両枠体の両端上面間を連結する端部上面連結部材と、前記突壁よりも内方側で前記両枠体の両端下面間を連結する端部下面連結部材とを備え、前記突壁の両側には、前記端壁を折畳んで複数の床を積み重ねたときに上方の床の枠体の端部を配置するための切欠きが形成され、前記端部下面連結部材には、前記端壁を折畳んで複数の床を積み重ねたときに下方の床の前記突壁に内方側から対向する規制壁が突設されることを特徴とし、かかる構成によれば、突壁の両側に切欠きを形成するとともに端部下面連結部材が端部上面連結部材の突壁よりも内方にあることにより端壁を折畳んだ状態の床を相互に積み重ねることが可能であり、収容箱の組立時には突壁が端壁の下部に外方側から対向することによって端壁の外方側への倒れが生じることを防止することができ、また折畳み状態の収容箱を相互に積み重ねたときには上方の収容箱の規制壁が下方の収容箱の突壁に内方側から対向することにより、枠体の長手方向への収容箱相互のずれが生じることを防止することができる。
【００１０】
【発明の実施の形態】
以下、本発明の実施の形態を、添付の図面に示した本発明の一実施例に基づいて説明する。
【００１１】
図１ないし図１６は本発明の一実施例を示すものであり、図１は組立状態の収容箱の正面図、図２は図１の２矢視側面図、図３は図１の３矢視底面図、図４は図１の４矢示部拡大図、図５は図４の５矢視図、図６は端壁の正面図、図７は図６の７−７線拡大断面図、図８は端壁が折畳み状態にあるときの図５に対応した図、図９は側壁の正面図、図１０は図９の１０矢視図、図１１は側壁の床への係合および係合解除操作を説明するための図２の１１−１１線に沿う拡大断面図、図１２は重合状態にある側壁の側面図、図１３は重合状態にある側壁の平面図、図１４は重合した側壁を床内に収容する操作を説明するための平面図、図１５は重合した側壁を側壁収容ポケットに収容した状態での収容箱の正面図、図１６は組立状態にある収容箱を積層した状態での正面図である。
【００１２】
先ず図１〜図３において、この収容箱は、組立時には上部が開放した直方体状に構成されるものであり、床１４と、一対の端壁１５，１５と、一対の側壁１６，１６とを備える。
【００１３】
図４を併せて参照して、床１４は、相互に平行に延びる一対の枠体１７，１７と、両枠体１７，１７の両端下面間を連結する端部下面連結部材１８，１８と、両枠体１７，１７の長手方向中間部下面間を連結する一対の中間部下面連結板１９，１９と、両枠体１７，１７の両端上面間を連結する端部上面連結部材２０，２０と、両枠体１７，１７の長手方向中央部上面間を連結する中間部上面連結部材２１と、両枠体１７，１７の上面間を連結する底板２２と、相互に固着されて格子状に組み合わされるとともに前記中間部連結部材２１を除く部分で底板２２の下面に固着される複数の金属棒材２３，２３…と、両枠体１７，１７の両端部外側に固着されるブラケット２４，２４…とを備える。
【００１４】
枠体１７は、フォークリフト等により収容箱を持ち上げる際にフォーク（図示せず）を挿入するためのフォークポケット２５を形成するようにして下方に開いた略Ｕ字状の横断面形状を有するように形成される枠体主部１７ａと、枠体主部１７ａのの両端を除く内側下部から内側方に延びる内側鍔部１７ｂと、枠体主部１７ａの両端を除く外側下部から外側方に延びる外側鍔部１７ｃと、外側鍔部１７ｂの先端から立ち上がる係止部１７ｄとを一体に有するものであり、係止部１７ｂは、枠体主部１７ａ側に向けて開いた略Ｕ字状の横断面形状を有するように形成される。
【００１５】
両枠体１７，１７間には側壁収容ポケット２６が形成される。この側壁収容ポケット２６には、重合された一対の側壁１６，１６が収容されるのであるが、収容された両側壁１６，１６は、端部下面連結部材１８，１８および中間部下面連結板１９，１９で支持されることになる。
【００１６】
また端部上面連結部材２０…は、起立状態にある前記端壁１５の下部に外方から対向する突壁１５ａを有して両枠体１７，１７の両端上面間を連結するものであり、端部下面連結部材１８…は、前記突壁２０ａ…よりも内方側で両枠体１７，１７の両端下面間を連結する。しかも前記突壁２０ａの両側には、端壁１５を折畳んだ状態で複数の床１４…を積み重ねたときに上方の床１４の枠体１７，１７の端部を配置するための切欠き２０ｂ，２０ｂが形成され、前記端部下面連結部材１８…には、端壁１５…を折畳んで複数の床１４…を積み重ねたときに下方の床１４の前記突壁２０ａに内方側から対向する規制壁１８ａが突設される。しかも規制壁１８ａは、側壁収容ポケット２６に収容された側壁１６，１６が該側壁収容ポケット２６から無闇に離脱しないようにする機能をも果たす。
【００１７】
またブラケット２４…は、略Ｕ字状の横断面形状を有する形鋼から成るものであり、相互に対向する側を開放するようにして枠体１７の両端部外側に固着され、各ブラケット２４…の上部は枠体１７…の上部よりも上方に突出される。
【００１８】
図５〜図７を併せて参照して、端壁１５は、一対の支柱２９，２９と、両支柱２９，２９に固着される金属板材から成る端板３０と、相互に固着されて格子状に組み合わされるとともに端板３０の外面に固着される複数の金属棒材３１，３１…とを備える。
【００１９】
前記両支柱２９，２９は、床１４上に重なる折畳み位置と床１４から起立する起立位置との間での回動を可能として、床１４のブラケット２４，２４…にそれぞれ枢支されるものであり、折畳み時には床１４の枠体主部１７ａおよび係止部１７ｄ間に収容可能である。また前記端板３０は、端壁１５が起立位置にあるときに床１４と干渉することを避ける位置で両支柱２９，２９に固着される。
【００２０】
床１４のブラケット２４…には支軸３２…が固定されており、それらの支軸３２…は支柱２９…の下端部に設けられる支持孔３３…に挿通される。支持孔３３は、端壁１５は起立位置にあるときに前記支軸３２を一端部に位置させるとともに起立位置から折畳み位置に端壁１５を回動する際に図５の矢印３４で示すように支柱２９を上方に持ち上げた状態で該支柱２９の回動支点となるべく前記支軸３２を他端部に位置させるように形成される長孔部３３ａと、図８で示すように端壁１５が折畳み位置にあるときに支軸３３を位置させるようにして前記長孔部３３ａの他端部下端に連なる係合孔部３３ｂとを有するものであり、係合孔部３３ｂは、端壁１５が折畳み位置にあるときに支軸３３に係合することにより端壁１５が床１４上で水平方向に移動するのを阻止するよう形成される。
【００２１】
このような端壁１５，１５は、その折畳み状態では、中間部上面連結部材２１の両側で床１４上に重なる高さを有するようにして形成されている。
【００２２】
図９および図１０において、側壁１６…は、金属板により直角四辺形に形成される壁板３５と、金属板で直角四辺形の筒状に形成されて前記壁板３５の外周部外面側に直角に固着される枠板３６と、相互に固着されて格子状に組み合わされるとともに前記壁板３５の外面側で該壁板３５および前記枠板３６に固着される複数の金属棒材３７，３７…とを備える。
【００２３】
枠板３６は、相互に平行に延びて壁板３５の両側に固着される一対の縦板部３６ａ，３６ａと、両縦板部３６ａ，３６ａの上部間を結ぶようにして壁板３５の上部に固着される上部横板部３６ｂと、両縦板部３６ａ，３６ａの下部間を結ぶようにして壁板３５の下部に固着される下部横板部３６ｃとを備えるものであり、両縦板部３６ａ，３６ａの下部には切欠き３８，３８が設けられる。
【００２４】
しかも下部横板部３６ｃは、側壁１６を図１０のように側方から見たときに前記両縦板部３６ａ，３６ａよりも突出する長さを有するものであり、下部横板部３６ｃは、図１１で示すように、床１４の係止部１７ｄに係合可能である。
【００２５】
すなわち側壁１６は、床１４の枠体主部１７および係止部１７ｄ間で外側鍔部１７ｃ上に下端部を載置可能なものであり、下部横板部３６ｃの先端を係止部１７ｄに係合させるようにして側壁１６を傾斜させた姿勢から、下部横板部３６ｃの先端の係止部１７ｄへの係合部を支点として側壁１６を起こすと、側壁１６は、その下部横板部３６ｃを係止部１７ｄに係合するようにして外側鍔部１７ｃ上に起立することになる。
【００２６】
しかも折畳み時には、相互に積層した一対の側壁１６，１６を床１４の側壁収容ポケット２６に収容可能となるように、各側壁１６，１６の形状・寸法が定められる。
【００２７】
各側壁１６の上端部両側と、端壁１５の上部両側とは、連結解除可能な連結手段３９…により連結される。この連結手段３９は、側壁１６の上部に装着される連結ピン４０と、該連結ピン４０を挿通可能として端壁１５の上部に設けられる係合孔４２とを備える。
【００２８】
連結ピン４０の一端部には半径方向外方側に屈曲した係合部４０ａが一体に設けられ、略Ｌ字状に形成される操作軸４１が連結ピン４０の中間部に直角に連設される。この連結ピン４０は、枠板３６における縦板部３６ａの上部に内方側から対向するようにして壁板３５の上部に一体に設けられる支持板部３５ａと、前記縦板部３６ａの上部とで回動自在かつ軸方向摺動自在に支承されるものであり、端壁１５における支柱２９の上部には、前記連結ピン４０の一端側を挿通せしめる係合孔４２が設けられ、該係合孔４２は、前記係合部４０ａの挿脱を可能とするために長孔状に形成される。
【００２９】
また側壁１６において壁板３５の上部には、前記支持板部３５ａとの間に操作軸４１の基部を挟む挟持板部３５ｂと、縦板部３６ａとの間に操作軸４１の基部を挟む挟持板部３５ｃとが一体に設けられており、係合孔４２に挿通された係合部４０ａを支柱２９の外面に係合するように連結ピン４０を回動したときに、操作軸４１の基部は縦板部３６ａおよび挟持板部３５ｃ間に挟まれる位置にあり、この状態で側壁１６および端壁１５の上部間が連結されることになる。また支柱２９との係合を解除する際には、操作軸４１を縦板部３６ａおよび挟持板部３５ｃ間から離脱するように回動操作すればよく、さらに操作軸４１が支持板部３５ａおよび挟持板部３５ｂ間に対応する位置まで連結ピン４０を軸方向に移動させることで係合部４０ａが縦板部３６ａの外面に係合し得る位置まで移動することになり、支持板部３５ａおよび挟持板部３５ｂ間に挟まれるように操作軸４１を回動操作することで、係合部４０ａが縦板部３６ａの外面に係合した状態を維持することができる。
【００３０】
ところで、収容箱の折畳み時に、床１４および一対の端壁１５，１５から取り外された一対の側壁１６，１６は，図１２および図１３で示すように、相互に重合されるものであり、その重合時に、両側壁１６，１６は、それらの外面側が対向するように、しかも切欠き３８，３８…が相互に反対側に位置するようにして抱き合わせて重合されることになる。これにより、両側壁１６，１６は、その枠板３６，３６の一部が内外で隣接するようにして重合されることになる。
【００３１】
このように重合された一対の側壁１６，１６は、図１４および図１５で示すように、床１４の側壁収容ポケット２６に挿入されるのであるが、この際の挿入操作、ならびに側壁収容ポケット２６からの取り出し操作を容易とするために、各側壁１６，１６には一対の把手４３、４３がそれぞれ固着される。また両側壁１６，１６を側壁収容ポケット２６に収容するとともに、両端壁１５，１５を床１４上に折畳むことで、収容箱全体が折畳まれた状態となる。
【００３２】
ところで組立状態にある複数の収容箱は、図１６で示すように、積み重ね可能であり、その積み重ね時に、上方の収容箱における床１４の四隅部を受けるための受け部４４，４４…が、各端壁１５…における支柱２９，２９…の上端に設けられる。
【００３３】
次にこの実施例の作用について説明すると、折畳み式収容箱は、床１４と、該床１４上に重なる折畳み位置ならびに床１４から起立する起立位置間での回動を可能として床１４にそれぞれ枢支される一対の端壁１５，１５と、相互に重合した状態で床１４の側壁収容ポケット２６にに収容可能な一対の側壁１６，１６とを備えるものであり、側壁１６は、金属板により直角四辺形に形成される壁板３５と、金属板で直角四辺形の筒状に形成されて壁板３５の外周部外面側に直角に固着される枠板３６と、相互に固着されて格子状に組み合わされるとともに壁板３５の外面側で該壁板３５および枠板３６に固着される複数の金属棒材３７，３７…とを備えるものである。
【００３４】
したがって側壁３５の大部分を壁板３５で構成することにより、収容部品の一部が側壁１６から突出してしまうことを確実に防止することができ、また壁板３５の厚みを協力薄く設定しても枠板３６および複数の金属棒材３７，３７…で補強することができるので、重量増大を避けつつ充分な強度を側壁１６に持たせることができる。
【００３５】
また端壁１５もその大部分が端板３０で構成されるものであり、収容部品の一部が端壁１５から突出してしまうことを確実に防止することができ、また端板３０の厚みを協力薄く設定しても支柱２９および複数の金属棒材３１，３１…で補強することができるので、重量増大を避けつつ充分な強度を端壁１５に持たせることができる。
【００３６】
しかも側壁１６の枠板３６…には、側壁収容ポケット２６に収容するにあたって一対の側壁１６，１６をそれらの外面側が対向するように抱き合わせて重合する際に、枠板３６，３６の一部が内外で隣接して重合することを可能とするための切欠き３８，３８が設けられているので、両側壁１６，１６をそれらの外面側が対向するように抱き合わせて重合したときに、枠板３６，３６の一部が内外で隣接して重合するようになるので、重合した状態の両側壁１６，１６の厚みが増大することを防止することができ、ひいては床１４の厚み減少に寄与することができる。
【００３７】
また床１４は、起立状態にある端壁１５の下部に外方から対向する突壁２０ａを有して両枠体１７，１７の両端上面間を連結する端部上面連結部材２０…と、突壁２０ａ…よりも内方側で両枠体１７，１７の両端下面間を連結する端部下面連結部材１８…とを備えており、突壁２０ａの両側には、端壁１５…を折畳んで複数の床１４…を積み重ねたときに上方の床１４の枠体１７，１７の端部を配置するための切欠き２０ｂ，２０ｂが形成され、端部下面連結部材１８…には、端壁１５…を折畳んで複数の床１４…を積み重ねたときに下方の床１４の突壁２０ａ…に内方側から対向する規制壁１８ａ…が突設されている。
【００３８】
このような床１４の構造によれば、突壁２０ａの両側に切欠き２０ｂ，２０ｂを形成するとともに端部下面連結部材１８が端部上面連結部材２０の突壁２０ａよりも内方にあることにより、端壁１５…を折畳んだ状態の床１４…を相互に積み重ねることが可能である。
【００３９】
また収容箱の組立時には突壁２０ａが端壁１５の下部に外方側から対向することによって端壁１５の外方側への倒れが生じることを防止することができ、折畳み状態の収容箱を相互に積み重ねたときには上方の収容箱の規制壁１８ａが上方の収容箱の突壁２０ａに内方側から対向することにより、枠体１７，１７の長手方向への収容箱相互のずれが生じることを防止することができる。
【００４０】
以上、本発明の実施例を説明したが、本発明は上記実施例に限定されるものではなく、特許請求の範囲に記載された本発明を逸脱することなく種々の設計変更を行うことが可能である。
【００４１】
【発明の効果】
以上のように請求項１記載の発明によれば、収容部品の一部が側壁から突出してしまうことを確実に防止することができ、また重量増大を避けつつ充分な強度を側壁に持たせることができる。しかも重合した状態の両側壁の厚みが増大することを防止することができる。
【００４２】
また請求項２記載の発明によれば、端壁を折畳んだ状態の床を相互に積み重ねることが可能としつつ、収容箱の組立時には端壁の外方側への倒れが生じることを防止することができ、また折畳み状態の収容箱を相互に積み重ねたときには枠体の長手方向への収容箱相互のずれが生じることを防止することができる。
【図面の簡単な説明】
【図１】組立状態の収容箱の正面図である。
【図２】図１の２矢視側面図である。
【図３】図１の３矢視底面図である。
【図４】図１の４矢示部拡大図である。
【図５】図４の５矢視図である。
【図６】端壁の正面図である。
【図７】図６の７−７線拡大断面図である。
【図８】端壁が折畳み状態にあるときの図５に対応した図である。
【図９】側壁の正面図である。
【図１０】図９の１０矢視図である。
【図１１】側壁の床への係合および係合解除操作を説明するための図２の１１−１１線に沿う拡大断面図である。
【図１２】重合状態にある側壁の側面図である。
【図１３】重合状態にある側壁の平面図である。
【図１４】重合した側壁を床内に収容する操作を説明するための平面図である。
【図１５】重合した側壁を側壁収容ポケットに収容した状態での収容箱の正面図である。
【図１６】組立状態にある収容箱を積層した状態での正面図である。
【符号の説明】
１４・・・床
１５・・・端壁
１６・・・側壁
１７・・・枠体
１８・・・端部下面連結部材
１８ａ・・・規制壁
２０・・・端部上面連結部材
２０ａ・・・突壁
２０ｂ・・・切欠き
２５・・・フォークポケット
２６・・・側壁収容ポケット
３５・・・壁板
３６・・・枠板
３７・・・金属棒材
３８・・・切欠き
【図１】
2004115026.tif 000003
【図２】
2004115026.tif 000004
【図３】
2004115026.tif 000005
【図４】
2004115026.tif 000006
【図５】
2004115026.tif 000007
【図６】
2004115026.tif 000008
【図７】
2004115026.tif 000009
【図８】
2004115026.tif 000010
【図９】
2004115026.tif 000011
【図１０】
2004115026.tif 000012
【図１１】
2004115026.tif 000013
【図１２】
2004115026.tif 000014
【図１３】
2004115026.tif 000015
【図１４】
2004115026.tif 000016
【図１５】
2004115026.tif 000017
【図１６】
2004115026.tif 000018